(57)【特許請求の範囲】
【請求項１】
開口及び取付孔を有するケース本体と、
前記ケース本体の開口を塞ぐように気密に取り付けられる蓋と、
前記取付孔に対し前記ケース本体の外側から内側に向かう第１方向から挿入される部品部材と、
前記第１方向に対し交差する第２方向から前記ケース本体の開口を介して挿入され、前記ケース本体の内側に突出する部品部材に係止して、前記部品部材の前記ケース本体からの抜脱を阻止する抜脱阻止部材と、
前記抜脱阻止部材に設けられ、前記部品部材を前記ケース本体に密着させる密着部と、
前記抜脱阻止部材に形成され、該抜脱阻止部材を前記第２方向から抜き取るための抜き取り係止部と
を有することを特徴とする内視鏡の操作部。
【請求項２】
前記取付孔は、前記第１方向から前記部品部材が挿入されたときに、前記部品部材が係止する係止段部を有し、
前記部品部材は押しボタンスイッチであり、前記押しボタンスイッチは、
スイッチ本体と、
前記スイッチ本体を保持し、前記取付孔に前記第１方向から挿入される取付筒と、
前記スイッチ本体を覆うように前記取付筒の一端に取り付けられ、前記係止段部に係止する係止部を外周に有し、押圧操作により変形し前記スイッチ本体を切り換える操作キャップとを有することを特徴とする請求項１記載の内視鏡の操作部。
【請求項３】
前記抜脱阻止部材は固定楔であり、
前記取付筒は、前記固定楔の挿入により取付筒を前記第１方向において内側に向けて付勢し、前記係止段部に操作キャップの係止部を係止させる固定楔取付溝を有することを特徴とする請求項２記載の内視鏡の操作部。
【請求項４】
前記固定楔取付溝は、前記密着部を構成する傾斜面を有し、前記固定楔の第２方向からの挿入によって前記傾斜面により前記取付筒を第１方向において内側に向けて付勢し、前記操作キャップの係止部を前記係止段部内で変形させて、前記操作キャップと前記取付孔とを気密に密着させることを特徴とする請求項３記載の内視鏡の操作部。
【請求項５】
前記固定楔は、連結板の両端に先細りの脚板を有するＵ字形板部材であり、前記脚板の一方の側縁が斜めに形成されており、この一対の斜め側縁により前記傾斜面を押圧することを特徴とする請求項４記載の内視鏡の操作部。
【請求項６】
前記固定楔は、中間に湾曲突起を有する脚板を連結板の両端に形成したＵ字形板部材であり、前記湾曲突起により前記傾斜面を押圧することを特徴とする請求項４記載の内視鏡の操作部。
【請求項７】
前記連結板に形成される取付孔と、前記固定楔が前記固定楔取付溝に挿入された状態のときに前記取付孔に対応する位置で前記取付筒に形成される取付ネジ孔と、前記取付孔から挿入されて前記取付ネジ孔に螺合し、前記固定楔を前記取付筒に固定する固定ビスとを備えることを特徴とする請求項５または６記載の内視鏡の操作部。
【請求項８】
前記抜き取り係止部は、前記連結板の内側面であり、前記固定楔取付溝に前記固定楔が挿入され、前記固定ビスにより前記固定楔が前記取付筒に取り付けられた状態で、前記連結板の内周面と前記取付筒との間に、固定楔抜き取り用の係止部材の先端部が挿入可能な隙間を有することを特徴とする請求項７記載の内視鏡の操作部。
【請求項９】
前記抜き取り用係止部は、前記連結板に形成され、固定楔抜き取り用の係止部材の先端部が挿入可能な係止孔または係止凹部であることを特徴とする請求項７記載の内視鏡の操作部。
【請求項１０】
前記取付孔の係止段部は、前記第１方向に略垂直な係止面と、前記係止面に略直交して連続する係止内周面とからなり、
前記操作キャップは、前記係止部の前記係止内周面に対面する位置に、前記係止内周面に接触して変形し、前記操作キャップと係止段部とを気密に密着させる第１環状突条を有することを特徴とする請求項２から９いずれか１項記載の内視鏡の操作部。
【請求項１１】
前記操作キャップは、前記係止部の前記係止面に対面する位置に、前記係止面に接触して変形し、前記操作キャップと係止段部とを気密に密着させる第２環状突条を有することを特徴とする請求項１０項記載の内視鏡の操作部。
【請求項１２】
前記取付孔の内周面及び前記取付筒の外周面は、前記取付筒の回転を規制する回転規制部を有することを特徴とする請求項１１記載の内視鏡の操作部。
【発明の詳細な説明】
【技術分野】
【０００１】
本発明は、内視鏡の操作部に関するものである。
【背景技術】
【０００２】
内視鏡は、挿入部とこれに続く操作部を有する。操作部は施術者によって把持され、挿入部は被検者の体内に挿入される。操作部には、各種操作ボタン、例えば送気・送水ボタンや吸引ボタンやリモートスイッチボタン等が取り付けられる。このような操作ボタンは本体部と操作キャップとからなる。本体部は例えば筒状に形成されており、一端部にスイッチが取り付けられる。そして、スイッチを覆い隠すように本体部には、操作キャップが取り付けられる。操作キャップは例えばゴム製であり、押圧による弾性変形によって内部のスイッチをＯＮにする。また、操作キャップへの押圧を止めることにより、元に戻ってスイッチがオフになる。
【０００３】
操作ボタンは、洗浄などによる液の侵入や、塵などが入り込むことがないように、操作部のケース本体に取り付ける際には、水密性及び気密性を確保する必要がある。このため、ケース本体との間にＯリングやシール材を装填し、例えば特許文献１，２に示すように、ナットを用い、ケース本体に操作部材を締め付けて固定する。
【０００４】
特許文献１では、ケース本体の取付孔に対して、ケース本体の内側から押しボタンユニットを挿入し、これにケース本体の外側から固定用ナットを螺合させて締めつけ固定している。また、特許文献２では、特許文献１とは逆に、ケース本体の取付孔に対して、ケース本体の外側から押しボタンユニットを挿入し、これにケース本体の内側から固定用ナットを螺合させて締めつけ固定している。また、特許文献３では、ケース本体の外側からスイッチを取付孔に挿入し、次に、スイッチ板と固定ビスとを用いて、ケース本体の内側から押しボタンスイッチをケース本体に固定している。
【先行技術文献】
【特許文献】
【０００５】
【特許文献１】特開平８−５６８９２号公報
【特許文献２】特開２００２−２５３８７号公報
【特許文献３】特開平８−１９１７８９号公報
【発明の概要】
【発明が解決しようとする課題】
【０００６】
上記特許文献１，２記載のものでは、いずれも固定用ナットを用いているため、固定用ナットを回転させて締めつける必要がある。特に、特許文献２のように、ケース本体の内側に固定用ナットが配置されるものでは、ケース本体内の狭い隙間から固定用ナットを回転する必要があり、操作性が悪く、操作ボタンユニットの取り付けや取り外しに手間を要する。
【０００７】
また、特許文献１のように、固定用ナットをケース本体の外側に配置する場合には、押しボタンユニットをケース本体内に収納した状態で取付孔から外側に向けて突出させて、この突出した部分の雄ねじに固定用ナットを締めつけるため、ケース本体内に押しボタンユニットの取り付け及び取り出し用の移動スペースを設ける必要があり、ケース本体に移動スペース分の無駄なスペースができてしまい、コンパクト化の障害になる。また、メンテナンスの際には、固定用ナットを外した後に、ケース本体の外側から内側に押しボタンユニットを押して、その後に、開口から押しボタンユニットをケース本体の外側に出す操作が必要になり、メンテナンスに手間を要する。
【０００８】
特許文献３のように、ケース本体の内側から固定ビスを介して押しボタンスイッチを取り付ける場合には、固定ビス回転用のドライバを挿入するための孔や開口がケース本体に必要になる。また、孔や開口に代えて、ドライバの挿入が容易な凹み部を形成する必要がある。このように、ケース本体にドライバ挿入用の孔や開口、凹み部などを形成する必要があり、ケース本体の形状が複雑になる。また、孔や開口を塞ぐキャップが新たに必要になる他に、凹み部を塞ぐための蓋も板状の二次元形状と異なり、三次元形状の複雑なものになる。
【０００９】
また、上記特許文献１〜３のものでは、メンテナンスや点検などの作業時における各種部品の取り外しについて、充分な考慮がなされていない。このため、各種部品の取り外しに手間がかかる。また、内視鏡の操作部は水密や気密が保持される状態で蓋が取り付けられる。したがって、蓋を取り外して、ドライバやスパナなどの工具を用いて、各種部品を取り外そうとすると、工具がケース本体の内面に接触し、この部分を傷つけてしまうことがある。ケース本体の内面部分、特に蓋の開口周縁部はＯリングなどのパッキンが接触する面であり、傷が付いてしまうと、気密及び水密を保持することが困難になる。
【００１０】
本発明は、上記課題を鑑みてなされたものであり、押しボタンスイッチや切換弁などの操作部材、ＬＥＤなどの表示部材、キャップや蓋、その他の各種部品を、スペースが限られたケースに簡単に取り付け、また取り外すことができ、しかも取り外し時には、ケース本体の内面を傷付けることがないようにした内視鏡の操作部を提供することを目的とする。
【課題を解決するための手段】
【００１１】
本発明の内視鏡の操作部は、開口及び取付孔を有するケース本体と、前記ケース本体の開口を塞ぐように気密に取り付けられる蓋と、前記取付孔に対し前記ケース本体の外側から内側に向かう第１方向から挿入される部品部材と、前記第１方向に対し交差する第２方向から前記ケース本体の開口を介して挿入され、前記ケース本体の内側に突出する部品部材に係止して、前記部品部材の前記ケース本体からの抜脱を阻止する抜脱阻止部材と、前記抜脱阻止部材に設けられ、前記部品部材を前記ケース本体に密着させる密着部と、前記抜脱阻止部材に形成され、該抜脱阻止部材を前記第２方向から抜き取るための抜き取り係止部とを有する。
【００１２】
前記取付孔は、前記第１方向から前記部品部材が挿入されたときに、前記部品部材が係止する係止段部を有し、前記部品部材は押しボタンスイッチであり、前記押しボタンスイッチは、スイッチ本体と、前記スイッチ本体を保持し、前記取付孔に前記第１方向から挿入される取付筒と、前記スイッチ本体を覆うように前記取付筒の一端に取り付けられ、前記係止段部に係止する係止部を外周に有し、押圧操作により変形し前記スイッチ本体を切り換える操作キャップとを有する。
【００１３】
前記抜脱阻止部材は固定楔であり、前記取付筒は、前記固定楔の挿入により取付筒を前記第１方向において内側に向けて付勢し、前記係止段部に操作キャップの係止部を係止させる固定楔取付溝を有する。
【００１４】
前記固定楔取付溝は、前記密着部を構成する傾斜面を有し、前記固定楔の第２方向からの挿入によって前記傾斜面により前記取付筒を第１方向において内側に向けて付勢し、前記操作キャップの係止部を前記係止段部内で変形させて、前記操作キャップと前記取付孔とを気密に密着させる。
【００１５】
前記固定楔は、連結板の両端に先細りの脚板を有するＵ字形板部材であり、前記脚板の一方の側縁が斜めに形成されており、この一対の斜め側縁により前記傾斜面を押圧することが好ましい。また、前記固定楔は、中間に湾曲突起を有する脚板を連結板の両端に形成したＵ字形板部材であり、前記湾曲突起により前記傾斜面を押圧することが好ましい。
【００１６】
前記連結板に形成される取付孔と、前記固定楔が前記固定楔取付溝に挿入された状態のときに前記取付孔に対応する位置で前記取付筒に形成される取付ネジ孔と、前記取付孔から挿入されて前記取付ネジ孔に螺合し、前記固定楔を前記取付筒に固定する固定ビスとを備えることが好ましい。
【００１７】
前記抜き取り係止部は、前記連結板の内側面であり、前記固定楔取付溝に前記固定楔が挿入され、前記固定ビスにより前記固定楔が前記取付筒に取り付けられた状態で、前記連結板の内周面と前記取付筒との間に、固定楔抜き取り用の係止部材の先端部が挿入可能な隙間を有することが好ましい。
【００１８】
前記抜き取り用係止部は、前記連結板に形成され、固定楔抜き取り用の係止部材の先端部が挿入可能な係止孔または係止凹部であることが好ましい。前記取付孔の係止段部は、前記第１方向に略垂直な係止面と、前記係止面に略直交して連続する係止内周面とからなり、前記操作キャップは、前記係止部の前記係止内周面に対面する位置に、前記係止内周面に接触して変形し、前記操作キャップと係止段部とを気密に密着させる第１環状突条を有することが好ましい。また、前記操作キャップは、前記係止部の前記係止面に対面する位置に、前記係止面に接触して変形し、前記操作キャップと係止段部とを気密に密着させる第２環状突条を有することが好ましい。さらには、前記取付孔の内周面及び前記取付筒の外周面は、前記取付筒の回転を規制する回転規制部を有することが好ましい。
【発明の効果】
【００１９】
本発明によれば、部品の取り付けに際して、部品挿入方向とは交差する第２方向から脱落阻止部材を装着するため、取り付けスペースが限られた内視鏡の操作部のケースに部品を簡単に取り付けることができる。また、ケースから部品を取り外す際にも、第２方向から脱落阻止部材を抜き取ることにより、簡単にケースから部品を取り外すことができる。しかも、抜脱阻止部材に係止部を設けているので、係止部に係止爪を有する取り外し工具を入れて引き抜くことにより、簡単に抜脱阻止部材を取付筒から抜き取ることができる。
【図面の簡単な説明】
【００２０】
【図１】本発明の内視鏡の操作部を有する電子内視鏡システムを示す斜視図である。
【図２】蓋を取った状態の内視鏡の操作部を示す斜視図である。
【図３】ユニバーサルコード接続口の取付ブラケットを示す斜視図である。
【図４】ケース本体の取付孔に、押しボタンスイッチを取り付ける手順を示す斜視図である。
【図５】押しボタンスイッチの取り付け状態を示す断面図である。
【図６】取付溝に固定楔を挿入する状態を示す一部断面を含む側面図である。
【図７】固定楔を取付溝に挿入した状態を示す一部断面を含む側面図である。
【図８】第１実施形態に対し、操作キャップの端縁部を変えた第２実施形態の押しボタンスイッチを示す断面図である。
【図９】第１実施形態に対し、同じく操作キャップの端縁部を変えた第３実施形態の押しボタンスイッチを示す断面図である。
【図１０】固定楔の別実施形態を示す斜視図である。
【図１１】同じく固定楔の別実施形態を示す斜視図である。
【図１２】回転規制面を有する本発明の他の実施形態の押しボタンスイッチを示す斜視図である。
【図１３】ユニバーサルコードコネクタに押しボタンスイッチ、三方切り換え弁を取り付けた別の実施形態における内視鏡の操作部を有する電子内視鏡システムを示す平面図である。
【図１４】他の固定楔取り外し工具を示す側面図である。
【図１５】係止爪を隙間に差し込んだ使用状態を示す側面図である。
【図１６】取り外し工具を傾けて固定楔を持ち上げた状態を示す一部断面を含む側面図である。
【図１７】他の固定楔取り外し工具を示す斜視図である。
【図１８】同固定楔取り外し工具の使用状態を示す斜視図である。
【図１９】係止爪が開閉するタイプの固定楔取り外し工具を示す断面図である。
【図２０】同固定楔取り外し工具の使用状態を示す断面図である。
【発明を実施するための形態】
【００２１】
図１に示すように、電子内視鏡システム８は、例えば被検体の体腔等に挿入される挿入部１１及び操作部１２からなる電子内視鏡１０と、ユニバーサルコード１３と、光源装置１４と、プロセッサ装置１５とから構成される。そして、挿入部１１の先端内部には撮像ユニットが設けられる。撮像ユニットからの撮像信号は、操作部１２、ユニバーサルコード１３、コネクタ２５，２５ａを介してプロセッサ装置１５に送られる。プロセッサ装置１５では、周知の画像処理を施して、撮像ユニットが撮影した観察画像を例えばテレビモニタ１６に表示する。
【００２２】
挿入部１１は、先端から順に、先端硬質部１７、湾曲部１８、及び軟性部１９を有する。先端硬質部１７の先端面には、周知のように、観察窓、照明窓、鉗子出口、送気送水ノズル、ウォタージェットノズルなどが形成される。湾曲部１８は、アングルノブ２０の回転操作により上下左右方向に任意角度で湾曲する。これにより、先端硬質部１７が体腔内の所望の方向に向けられ、体腔内の被観察部位の撮像や、鉗子出口からの鉗子による種々の処置が可能になる。軟性部１９は、操作部１２と湾曲部１８との間を長尺状に繋ぐ部分であり、可撓性を有している。
【００２３】
操作部１２は、ケース２１に、アングルノブ２０、送気送水ボタン２６、吸引ボタン２７、第１〜第３押しボタンスイッチ２８〜３０などの部品部材を取り付けて構成される。図２に示すように、ケース２１は、開口２２を有するケース本体２３と蓋２４とからなる。これらケース本体２３及び蓋２４は樹脂成形品から構成される。ケース本体２３は、上部がやや窄まった略五画形の箱形に形成され、底板２３ａ（操作部１２の側面に該当する）と、この底板２３ａを囲むように周縁に配置される前板２３ｂ、上板２３ｃ、上背板２３ｄ、下背板２３ｅ、下板２３ｆとを有する。開口２２の周囲の縁部には不図示のＯリング収納溝が形成されており、この収納溝内に不図示のＯリングが嵌められる。
【００２４】
蓋２４は、開口２２を塞ぐようにケース本体２３に嵌められる。そして、２本のビス３３を用いてケース本体２３に固定される。この固定により、Ｏリングがケース本体２３と蓋２４との間で変形し、両者に密着することで、気密性が確保される。気密性が確保されることで、水密性も同時に確保される。アングルノブ２０（図１参照）は、ケース本体２３の底板２３ａ（操作部１２の側面）側に配設される。
【００２５】
図１及び図２に示すように、送気送水ボタン２６、吸引ボタン２７、第１押しボタンスイッチ２８，第２押しボタンスイッチ２９は、ケース本体２３の前板２３ｂに取り付けられ、第３押しボタンスイッチ３０は、ケース本体２３の上板２３ｃに取り付けられる。送気送水ボタン２６は、挿入部１１の先端から空気又は液を選択的に送り出す際に操作される。吸引ボタン２７は、挿入部１１の先端から空気や液を吸引操作する際に操作される。第１〜第３押しボタンスイッチ２８〜３０は、静止画の撮影や拡大撮影、その他の各種操作を行う際に操作される。
【００２６】
図２に示すように、蓋２４の外側中央部にはグリップ部３５が外側に突出するように一体的に設けられる。このグリップ部３５は、左手でケース２１を把持する際に、左手の親指によって下部が支持されることにより、ケース２１が把持し易くなっている。また、グリップ部３５の突出端部には円形の開口３６が形成される。この開口３６には、不図示のＯリングなどにより気密に保たれた状態で、ユニバーサルコード１３（図１参照）が挿通される。
【００２７】
ケース本体２３の内部は仕切り板３１により、操作ボタン収納室と、アングルノブ関連のワイヤ操作部収納室とに仕切られている。仕切り板３１は例えば金属板から構成されており、ケース本体２３に不図示の取付ビスにより固定される。
【００２８】
ケース本体２３の中央には、ブラケット３７が配置される。ブラケット３７は、図３に示すように、一対の脚部３８ａ（図２参照），３８ｂを有するアーチ状のフレーム３８と、一方の脚部３８ｂにビス止めされた補助脚部３９とを有し、ユニバーサルコード接続口４０を保持する。図２に示すように、補助脚部３９はフレーム３８に対して直交するように取り付けられる。そして、一対の脚部３８ａ，３８ｂと補助脚部３９との三点支持により仕切り板３１にビス止め固定される。これにより、ケース本体２３にユニバーサルコード接続口４０が強固に固定される。また、補助脚部３９はフレーム３８にビス止め固定されるため、操作部１２の修理やメンテナンスの際に、ブラケット３７を、フレーム３８と補助脚部３９とに容易に分解することができる。なお、ブラケット３７は、各配線コード４２を傷つけないように、バレル研磨される。
【００２９】
ユニバーサルコード接続口４０内では、各送気送水ボタン２６、吸引ボタン２７のチューブ４１や、各押しボタンスイッチ２８〜３０からの配線コード４２などがまとめられる。そして、ユニバーサルコード１３としてユニバーサルコード接続口４０からケース２１の外部に分岐される。また、ブラケット３７を取り外して、フレーム３８や脚部３９に分解することにより、各配線コード４２を簡単に露呈させることができ、修理やメンテナンスが容易になる。
【００３０】
図４に示すように、第１押しボタンスイッチ２８は、押しボタンスイッチ本体５０と、固定楔５１と、固定ビス５２とからなる。押しボタンスイッチ本体５０は、前板２３ｂに形成される取付孔５４の外径よりも僅かに小径で、全体が円筒状に形成される。
【００３１】
図５に示すように、押しボタンスイッチ本体５０は、先端から順に、操作キャップ６０、スイッチ本体６１、取付筒６２からなる。取付筒６２は硬質プラスチック製または金属製である。取付筒６２の外周面で、ケース本体２３に対して外側には操作キャップ取付フランジ６３が、周面よりも突出して形成される。この操作キャップ取付フランジ６３の外径は取付孔５４の内径よりも大きくされる。また、取付筒６２が、ケース本体２３の取付孔５４に挿入された状態でケース本体２３の内側に位置する外周面には、固定楔取付溝６４（図４、図６参照）が形成される。
【００３２】
取付筒６２の内周面にはスイッチ本体６１を保持するための仕切り板６５が形成され、この仕切り板６５には貫通孔６６が形成される。スイッチ本体６１は基板６１ａを有し、この基板６１ａを介してスイッチ本体６１は仕切り板６５に固定される。基板６１ａの背面側には、端子６７が突出して形成され、これらが仕切り板６５の貫通孔６６に挿通される。端子６７には、ユニバーサルコード１３の配線コード４２が半田付け等により接続される。
【００３３】
図６にように、固定楔取付溝６４は、取付筒６２の周面の一部を、筒心に直交する方向に切り欠いた一対の平行な溝面６４ａを有する。この溝面６４ａの一方の側壁（外側に位置する）６４ｂが筒心に直交し、他方の側壁（内側に位置する）６４ｃが筒心に交差する。この交差する側壁６４ｃにより傾斜面６８が形成される。
【００３４】
図５に示すように、操作キャップ６０は合成ゴム製で柔軟性を有し、外形が半球に形成される。内周面６０ａの中央には、スイッチ本体６１の可動部６１ｂに対面する位置で、押圧突起６０ｂが形成される。操作キャップ６０が押圧されると操作キャップ６０が変形し、押圧突起６０ｂによりスイッチ本体６１の可動部６１ｂを押す。これにより、スイッチ本体６１はＯＮまたはＯＦＦに切り換わる。
【００３５】
操作キャップ６０の内周面６０ａで端縁部近くには、取付溝７０が周方向に形成される。この取付溝７０には、操作キャップ取付フランジ６３が嵌着する。また、前板２３ｂに形成される取付孔５４には、その外側に係止段部７１が形成される。係止段部７１は、第１方向Ａ１に垂直な係止面７１ａと、この係止面７１ａに直交して連続する係止内周面７１ｂとからなる。この係止段部７１はキャップ取付溝となり、操作キャップ６０の端縁部６０ｃが嵌入する。
【００３６】
図４に示すように、固定楔５１は、一対の脚部５１ａと連結部５１ｂとにより、Ｕ字形に折り曲げて形成され、硬質プラスチック製または金属製である。連結部５１ｂの中央部には、固定ビス５２が挿通される孔５１ｃが形成される。脚部５１ａの一方の側縁は斜めに形成されて傾斜面５３となる。傾斜面５３により、部品部材としての押しボタンスイッチ本体５０をケース本体２３の前板２３ｂに密着させる密着部が構成される。
【００３７】
図６に示すように、固定楔取付溝６４は正面から見て、台形状に構成され、上方に向かうに従い次第に開拡する傾斜面６８を有する。固定楔５１は、ケース本体２３の開口２２を通り、第１方向Ａ１に略直交する第２方向Ａ２から、固定楔取付溝６４に挿入される。図７に示すように、固定楔５１の取付溝６４への挿入により、この傾斜面６８に固定楔５１の傾斜面５３が圧着する。この圧着により、取付筒６２は取付孔５４内で右方向に移動し、操作キャップ取付フランジ６３と、係止段部７１との間で、操作キャップ６０の端縁部６０ｃが押し潰されて変形し、係止段部７１内に操作キャップ６０が圧着する。この操作キャップ６０の圧着により、押しボタンスイッチ本体５０は前板２３ｂに気密に取り付けられる。なお、７５はワッシャである。ワッシャ７５は、固定楔５１が金属製の場合に前板２３ｂの内面が傷付くことがないよう保護する。
【００３８】
図５に示すように、固定楔５１が楔取付溝６４に入れられた状態で、孔５１ｃに対応する取付筒６２には、ネジ孔７６が形成される。このネジ孔７６には固定ビス５２が螺合する。この固定ビス５２によって、楔取付溝６４から固定楔５１が脱落することが防止される。また、固定ビス５２の回転によるネジ孔７６への進入により、操作キャップ６０の端縁部６０ｃは係止段部７１への圧着が強まり、より強固に取付孔５４に押しボタンスイッチ本体５０が取り付けられる。また、固定ビス５２のねじ込み量を調節することにより、楔５１による圧着力の調節が可能になり、気密性や水密性を確実に確保することができる。
【００３９】
図７に示すように、固定ビス５２により固定楔５１が取付筒６２に取り付けられた状態で、連結板５１ｂの内側面と取付筒６２の外周面との間には隙間５５が形成される。この隙間５５には、固定楔取り外し工具３４の係止爪３４ａが挿入可能となるように、固定楔５１と取付溝との寸法が決定される。連結板５１ｂの内側面は、係止爪３４ａが係止する抜き取り係止部５６となる。
【００４０】
図４に示すように、第２及び第３押しボタンスイッチ２９，３０も、操作キャップ２９ａ，３０ａの形状が半球状ではなく、円柱状または截頭円錐状である以外は、第１押しボタンスイッチ２８と同じ構成であるので、第１押しボタンスイッチ２８と同じ符号を用い、重複した説明を省略する。なお、操作キャップの内部スペースを小さくすることにより、温度変化による空気の膨張の影響を少なくすることができる。
【００４１】
各押しボタンスイッチ２８〜３０はケース本体２３に次のようにして取り付ける。先ず、図６に示すように、ワッシャ７５を、予めケース本体２３の内側面で取付孔５４に位置合せして接着する。次に、各取付孔５４から配線コード４２を引き出して、スイッチ本体６１の端子６７に配線コード４２を半田付けして接続する。なお、半田付けする代わりに、予め半田付けされた配線コードに接続端子を用いて、ユニバーサルコードの配線コード４２に接続してもよい。
【００４２】
次に、図４に示すように、各取付孔５４に第１方向Ａ１から押しボタンスイッチ本体５０を挿入する。次に、図６に示すように、固定楔５１を第１方向Ａ１と略直交する第２方向Ａ２から挿入する。この挿入により、固定楔取付溝６４の傾斜面６８と、固定楔５１の傾斜面５３とが接触して、取付筒６２がケース本体２３の内側に移動する。
【００４３】
次に、固定ビス５２を固定楔５１の取付孔５１ｃに挿入して回転すると、固定ビス５２がネジ孔７６に螺合し、固定楔５１が取付溝６４に締めつけられる。この締めつけによって、操作キャップ６０の端縁部６０ｃが係止段部７１に密着する。これにより、押しボタンスイッチ２８がケース本体２３に固定されるとともに、操作キャップ６０と係止段部７１との密着により、取付孔５４からの水や空気がケース本体２３内に入り込むことが防止される。また、押しボタンスイッチをナットやビスにてケース内側から締めつける従来タイプのものに比べて、ナットやビスなどを挿入するための特別な凹部等を開口２２に連設する必要がなくなる。したがって、開口２２及び蓋２４が三次元的に湾曲したりする複雑な形状となることがなく、製造が容易になる。しかも、固定楔５１を挿入して、第２方向から固定ビス５２を締めつけるだけでよく、取り付けが簡単に行える。また、固定楔５１は押しボタンスイッチ本体５０の挿入方向である第１方向Ａ１に直交する第２方向Ａ２から挿入するため、挿入が容易になる。
【００４４】
なお、本実施形態では、押しボタンスイッチ本体５０の挿入方向である第１方向Ａ１に対し直交する第２方向Ａ２から固定楔５１を挿入しているが、ケース本体２３の取付面が傾斜面や湾曲面から構成される場合には、これら取付面に合せて、第１方向と第２方向との交差角度は適宜変更され、９０°以外の交差角度になる。
【００４５】
メンテナンスや点検のため、ケース本体２３からの各押しボタンスイッチ２８〜３０の取り外しは、取り付けとは逆の順に行う。先ず、図２に示すように、ビス３３を緩めて蓋２４をケース本体２３から外す。次に、図５において、固定ビス５２を緩めてネジ孔７６から取り外す。
【００４６】
次に、図７に示すように、係止爪３４ａを有する固定楔取り外し工具３４を用いて、固定楔５１を取付溝６４から取り外す。取り外し工具３４は、マイナスドライバの先端を略９０度に折り曲げて構成される。そして、折り曲げられた楔形先端部が係止爪３４ａとなる。先ず、隙間５５に係止爪３４ａの先端を挿入する。次に、固定楔５１を持ち上げる方向に僅かに取り外し工具３４を傾斜させる。これにより、てこの原理を利用して、固定楔５１を取付溝６４から容易に浮かせることができる。この後に、浮いた固定楔５１を摘んで引き上げることにより、簡単に固定楔５１を取付溝６４から抜き取ることができる。
【００４７】
なお、図示は省略したが、取付孔５４の近傍で、開口２２側のケース本体２３の内面に突条を設けて、固定楔５１を引き上げる際の接触防止の邪魔部材としても利用してもよい。この邪魔部材により、ケース本体２３のＯリング接触面に固定楔５１が当たることがなくなり、傷の発生を抑えて、気密性を確保することができる。
【００４８】
次に、図８を参照して、本発明の第２実施形態を説明する。この第２実施形態では、操作キャップ８０の端縁部８１の外周面に、係止段部７１の係止内周面７１ｂに対面する位置で第１環状突条８２を、係止段部７１の係止面７１ａに対面する位置に第２環状突条８３（二点鎖線表示部分）を形成する。その他の構成については、第１実施形態と同様であるので、その他の構成部材には同一符号を付して重複した説明を省略する。同様にして、以下の他の実施形態においても、同一構成部材には同一符号を付している。
【００４９】
第１環状突条８２は係止内周面７１ｂに接触して変形し、操作キャップ８０と係止段部７１とを気密に密着させる。また、第２環状突条８３は係止段部７１の係止面７１ａに接触して変形し、操作キャップ８０と係止段部７１とを気密に密着させる。このように、第１実施形態に比べて、第１及び第２の環状突条８２，８３を設けており、これらが係止段部７１に接触して変形することにより、操作キャップ８０と取付孔５４との間で二重に密着するため、気密性がより一層向上する。なお、第１環状突条８２及び第２環状突条８３のいずれか一方のみを形成してもよく、この場合にも、操作キャップ８０と取付孔５４との間の気密性が確保される。
【００５０】
第２実施形態では、操作キャップ８０と取付孔５４との間に第１シール剤８４が、操作キャップ８０と取付筒６２との間には第２シール剤８５が入れられる。また、スイッチ本体６１が取り付けられる仕切り板６５の反対側面で取付筒６２内には第３シール剤８６が入れられる。第１シール剤８４は、操作キャップ８０を係止段部７１に確実に固着して、操作キャップ８０と係止段部７１との隙間に塵や異物、雑菌などが溜まることを防止する。また、第２シール剤８５は、取付筒６２と操作キャップ８０との隙間をシールし、異物などの進入を阻止する他に、気密性も確保する。第３シール剤８６は、スイッチ本体６１の端子６７及び配線コード４２の接続部を封止する他に、操作キャップ８０が破損した場合にケース本体２３の内部の気密性も確保する。その他の構成については第１実施形態と同じであり、重複した説明を省略する。
【００５１】
図９に示すように、第３実施形態では、取付筒８７のキャップ取付フランジ８７ａを、取付孔５４の係止段部７１の係止面７１ａに直接接触させたものであり、このため操作キャップ８８の端縁部の形状が第２実施形態のものと異なっている以外は、第２実施形態と同じ構成となっている。本実施形態では、第１環状突条８９によって係止段部７１との密着性が確保される。また、第１シール剤８４によって、取付孔５４と操作キャップ８８との間がシールされる。
【００５２】
上記第１〜第３実施形態では傾斜面５３を有する固定楔５１を用いた例について説明したが、図１０，図１１に示す各実施形態では、押しボタンスイッチ本体５０の取付溝６４の傾斜面６８に当接して、押しボタンスイッチ本体５０をケース本体２３の内側に付勢する湾曲突起９０ａ，９１ａを有する固定楔９０，９１を用いる。
【００５３】
図１０に示すように、固定楔９０は、例えば金属板を折り曲げて形成され、矩形状の連結板９０ｂとこの連結板９０ｂの４隅に連接される第１脚部９０ｃ及び第２脚部９０ｄとを有する。第１脚部９０ｃは細長い帯板であり、連結板９０ｂに対して９０°に折り曲げられる。また、第２脚部９０ｄは、中間部に外側に向けて突出した湾曲突起９０ａを有する帯板であり、先端が第１脚部９０ｃの先端に近接するように、連結板９０ｂに対して鋭角に折り曲げられる。固定楔９０が、図６に示す固定楔５１の代わりに、押しボタンスイッチ本体５０の取付溝６４に差し込まれると、第１脚部９０ｃがワッシャ７５に接触し、第２脚部９０ｄの湾曲突起９０ａが傾斜面６８を押圧する。これにより、押しボタンスイッチ本体５０がケース本体２３の内側に向かう方向へ移動する。また、第２脚部９０ｄはバネ性を有する湾曲突起９０ａにより傾斜面６８に向けて固定楔９０を付勢するため、適度な力で押しボタンスイッチ本体５０をケース本体２３の内側に向けて付勢することができる。さらに、固定ビス５２のネジ込み量を変えることにより、付勢力も簡単に調節することができる。
【００５４】
図１１は、一つの帯板を板金加工により折り曲げて、湾曲突起９１ａを有する脚部９１ｂを連結板９１ｃの両側に形成し、固定楔９１を構成したもので、図１０に示す固定楔９０と同様に、脚部９１ｂの中央部に形成した湾曲突起９１ａによって、取付溝６４の傾斜面６８を押圧することができる。固定楔９１は次のように構成する。先ず、金属製の帯板の両端から一定長さで中央部の連結板９１ｃに対して、直角に折り曲げて一対の脚部９１ｂを構成する。次に、この脚部９１ｂを９０°捩じった後に、脚部９１ｂのほぼ中央部に湾曲突起９１ａをプレス加工する。なお、加工の順序は、これに限定されず、先に湾曲突起９１ａを形成した後に、捩じって折り曲げ加工してもよい。
【００５５】
なお、図１０，図１１に示す固定楔９０，９１は金属製の帯板をプレスして成形しているが、プレスなどの板金加工によるものの他に、硬質樹脂を用いた成形品により構成してもよい。
【００５６】
図１２に示す別の実施形態では、取付孔１００及び取付筒１０１に回転規制面１００ａ，１０１ａを形成したものであり、その他は第１実施形態と同様に構成されている。取付筒１０１の回転規制面１０１ａは、取付筒１０１の外周面の一部を平面状に切り欠いて形成される。同様にして、この回転規制面１０１ａが位置する取付孔１００には回転規制面１０１ａに接触して取付筒１０１の回転を規制する回転規制面１０１ａを形成する。回転規制面１０１ａは、１個の他に複数個であってもよい。また、複数個の場合には、取付孔１００を多角形状に形成した各辺をそれぞれ回転規制面としてもよい。また、規制面に代えて、取付筒の回転を規制することができるものであればよく、係止突起や係止凹部を用いて、回転を規制してもよい。この回転規制面１００ａ，１０１ａは、上記各実施形態において形成してもよい。
【００５７】
本実施形態では、取付筒１０１を取付孔１００に挿入する際に、取付筒１０１が回転することがなく、固定楔５１の挿入時の位置決めが容易になる。また、取付孔１００内で取付筒１０１が回転することがないので、回転により配線コード４２が引っ張られて断線したり、ハンダ付け部分から接続部が剥離してしまうことが無くなる。
【００５８】
上記実施形態では、挿入部１１が接続される内視鏡１０の操作部１２を例にとって説明したが、内視鏡１０の操作部１２として機能するものであれば良く、挿入部１１が接続される操作部１２に限定されるものではない。
【００５９】
図１３に示す別の実施形態は、挿入部１１に連続する第１の操作部１２に代えて、ユニバーサルコード１３のコネクタ１１０に本発明を実施している。コネクタ１１０は、ケース本体１０８及び蓋１０９を有し、ユニバーサルコード１３により電子内視鏡１０を光源装置１４に接続する。ケース本体１０８には、押しボタンスイッチ１１１，１１２や三方切換弁１１３が、固定楔５１及び固定ビス５２により取り付けられ、第２の操作部１１４が構成される。ケース本体１０８には、開口１１５が形成されており、この開口１１５から固定楔５１，固定ビス５２が挿入される。
【００６０】
押しボタンスイッチ１１１，１１２や三方切換弁１１３のケース本体１０８への具体的な取付方法は、上記各実施形態と同様であり、同一構成部材には同一符号が付してある。コネクタ１１０は、ユニバーサルコード１３の他に、プロセッサ装置１５への接続コード１１６、送液タンク１１７へのチューブ１１８などが接続される。
【００６１】
本実施形態でも、押しボタンスイッチ１１１，１１２などの操作部材の挿入方向に対して交差する方向から、固定楔５１などの脱落阻止部材を挿入し、操作部材をケース本体１０８に取り付けるため、これら操作部材の取り付け及び取り外しが簡単に行える。なお、本実施形態では、ユニバーサルコード１３のコネクタ１１０のケース本体１０８に対して、押しボタンスイッチ１１１，１１２などの操作部材を取り付けて、第２の操作部１１４としたが、図示は省略したが操作部は分岐部などのケース本体を用いたものにも実施してもよい。また、操作部材としては、操作スイッチなどに限定されるものではなく、上記のような三方切換弁やその他の機械的な操作部材も含まれる。
【００６２】
上記実施形態では、部品として押しボタンスイッチの例を挙げたが、本発明はこれに限定されることなく、例えば、ＬＥＤなどの表示部品でもよい。また、操作キャップは柔軟性を有する合成ゴムなどにより構成しているが、例えば、柔軟性は無くともよく、この場合には、上部に可動部を有し、変位可能なキャップが使用可能である。また、押しボタンスイッチと取付孔との間にＯリングなどを用いてもよい。
【００６３】
上記実施形態では、操作部は箱型状に形成したが、操作部は種々の形状にすることができる。例えば、円筒状や半球状やその他の自由な曲面からなるケース本体であってもよい。
【００６４】
上記実施形態では、スイッチ等の操作部材のケース本体への挿入方向を示す第１方向Ａ１と、操作部材を固定する固定楔の挿入方向を示す第２方向Ａ２とは、例えば操作部材が取り付けられる前板と、蓋との交差角度が９０度である場合を例に取って説明したが、取付孔が形成される取付板部に対して操作部材が傾斜して取り付けられる場合には、９０度以外の傾斜角度であってもよい。また、第１方向Ａ１と第２方向Ａ２とは交わる必要はなく、離れた状態も含まれる。
【００６５】
次に、固定楔取り外し工具の別の例について説明する。図１４〜１６に示す取り外し工具１２０は、図８に示すものの変形例であり、先端が略直角に折り曲げられたＬ字形ドライバの先端に延長部を有する。この取り外し工具１２０は、係止爪１２１と、この係止爪が取り付けられる取付軸１２２と、グリップ１２３とを有する。取付軸１２２の先端に硬質ゴム製のキャップ１２４が取り付けられており、ケース本体内で先端が滑ることがないようにされる。取付軸１２２には雄ねじ１２６が形成されており、この雄ねじ１２６に２個のナット１２７が螺合することにより、係止爪１２１を取付軸１２２上で挟持する。ナット１２７の螺合位置を調節することにより、係止爪１２１の取付高さが変化し、各種操作部の隙間５５（図７参照）の位置に対応させることができる。
【００６６】
使用に際しては、図１５に示すように、ケース本体２３内に取付軸１２２を挿入して、隙間５５内に係止爪１２１を挿入する。次に、図１５に示すように、仕切り板３１に形成した係止孔３２にキャップ１２４を当てた状態で、グリップ１２３（図１４参照）を操作して取付軸１２２を傾ける。この取付軸１２２の傾斜によって、図１６に示すように、係止爪１２１が固定楔５１の抜き取り係止部５６に係止して固定楔５１を上方に持ち上げる。これにより、簡単に固定楔５１を取付溝６４から取り外すことができる。なお、仕切り板３１に形成する係止孔３２は、円孔、長孔やその他の形状でよい。また、孔以外に、切欠き、凹み部などの取付軸先端のキャップの滑り止めとして機能するものであればよい。
【００６７】
本実施形態では、取付軸先端のキャップ１２４を係止孔３２に係止させ、この係止部分を支点として取付軸１２２を傾斜させるため、係止爪１２１の移動が規制され、取り外しの際に、勢い余って係止爪１２１の先端でケース本体２３の内面を傷つけることが無い。ケース本体２３の内面、特に蓋２４（図２参照）が嵌まるエリアはＯリングなどのパッキンにより気密を確保する必要があり、傷の発生は気密性・水密性の低下に繋がるが、このような不具合の発生が抑えられる。
【００６８】
図１７，図１８は、固定楔１３０の連結板１３０ａの固定ビス挿通孔１３１を、円孔１３１ａと矩形孔１３１ｂとからなる鍵孔状に形成し、この鍵孔と同じ形状の係止爪１３３を有する取り外し工具１３４を用いる。使用する際には、固定ビス挿通孔１３１に鍵状の係止爪１３３を挿入し、次に係止爪１３３が固定ビス挿通孔１３１の孔縁に係止するようにグリップ１３５を例えば９０°回転させる。この後に、取り外し工具１３４を用いて、固定楔１３０を上方に引き上げて、固定楔１３０を取付溝から取り外す。グリップ１３５近くの取付軸１３６にはスライディングハンマ１３７が嵌入されており、把手１３７ａを持って、ハンマ１３７を上下動させグリップ１３５にハンマ１３７を当接させる。この当接時の衝撃を固定楔１３０に伝えることにより、固定楔１３０の抜き取りが容易になる。なお、ハンマ１３７は必要に応じて取り付けられるものであり、省略してもよい。
【００６９】
図１９，図２０は、取付軸１４０が二重構造になった取り外し工具１４１を示している。係止爪１４２は内筒１４０ｂの先端に形成されており、例えば周方向に等ピッチで３本の爪本体１４２ａを有する。これら３本の爪本体１４２ａは外側に向けて拡がるように弾発性を有する。内筒１４０ｂは、上部のグリップ内で外筒１４０ａに対し上方にバネ付勢される。そして、グリップの上部には、内筒１４０ｂの上端部が突出しており、この上端部が押し下げ摘まみとなっている。使用に際しては、不図示のグリップを握って上部の摘まみを押し下げ、外筒１４０ａから内筒１４０ｂを押し出すと、係止爪１４２が開き、固定ビス取付孔５１ｃの孔縁に係止爪１４２が係止する。この状態で取り外し工具１４１を持ち上げることにより、固定楔５１を抜き取ることができる。本実施形態の取り外し工具にも必要に応じて、取付軸にスライディングハンマが取り付けられる。この場合には、ハンマの上下動による衝撃で固定楔の抜き取りを容易になる。
【符号の説明】
【００７０】
１０  電子内視鏡
１２  操作部
２３  ケース本体
２８，２９，３０  押しボタンスイッチ
５０  押しボタンスイッチ本体
５１  固定楔
５２  固定ビス
５３，６８  傾斜面
５４  取付孔
６０  操作キャップ
６１  スイッチ本体
６２  取付筒
６３  操作キャップ取付フランジ
６４  取付溝
６８  傾斜面
７０  取付溝
７１  係止段部
８０  操作キャップ
９０，９１  固定楔
１１０  コネクタ
１１１，１１２  押しボタンスイッチ
１１３  三方切換弁
【図１】
0005508335.tif 000002
【図２】
0005508335.tif 000003
【図３】
0005508335.tif 000004
【図４】
0005508335.tif 000005
【図５】
0005508335.tif 000006
【図６】
0005508335.tif 000007
【図７】
0005508335.tif 000008
【図８】
0005508335.tif 000009
【図９】
0005508335.tif 000010
【図１０】
0005508335.tif 000011
【図１１】
0005508335.tif 000012
【図１２】
0005508335.tif 000013
【図１３】
0005508335.tif 000014
【図１４】
0005508335.tif 000015
【図１５】
0005508335.tif 000016
【図１６】
0005508335.tif 000017
【図１７】
0005508335.tif 000018
【図１８】
0005508335.tif 000019
【図１９】
0005508335.tif 000020
【図２０】
0005508335.tif 000021